(57)【要約】      （修正有）【課題】立食パーティー用容器は種々研究開発されているが、いずれも容器を片手にて把持しながら飲食するのには安定性が頗る悪く、且又食べ難いとか、持ちにくいなどの喫緊の課題を抱えているので、このような従来の課題を解決する立食パーティー用トレイを提供する。【解決手段】トレイに、グラス収容部、把持体部あるいはトレイ把持部、掴み具収容部を各底部が同一平面上に位置するように形成し、さらにトレイ平面中央部には料理収容室を設け、トレイ上の飲食物の重量が偏らないようにバランス良く載置できるようにした立食パーティー用トレイを提供する。【選択図】図１
0003110464.tif 000002
【実用新案登録請求の範囲】
【請求項１】
トレイの一端部に下方途中に段部を設けた円錐台形状のグラス収容部を設け、該グラス収容部の段部の下部には小空室を形成し、トレイの他端部の下方へ把持体部を設け、さらにトレイ後端部にはフォーク・スプーン・箸を収容する掴み具収容部を同じく設け、グラス収容部、把持体部、掴み具収容部の各底部が同一平面上に位置するように形成し、かつ上記３部が夫々略均等間隔にあって、略三角形状になるように形成し、さらにトレイ平面中央部には料理収容室を設けたことを特徴とした立食パーティー用トレイ。
【請求項２】
トレイの一端部にグラス収容部を設け、他端部には内面が湾曲形状を呈する爪形形成を成す親指差し込み窪部であるトレイ把持部を設け、さらにトレイの中央部に料理収容部を設け、その手前にフォーク・スプーン・箸を収容する掴み具収容部を設けてトレイ上の飲食物の重量が偏らないようにバランス良く載置できるようにしたことを特徴とした立食パーティー用トレイ。
【請求項３】
トレイの一端部に内面が湾曲形状を成す親指差し込み窪部であるトレイ把持部を設け、該窪部近傍にグラス収容部を設け、他端部にフォーク・スプーン・箸を収容する掴み具収容部を設け、中央部には料理収容部を設けてトレイ上の飲食物の重量が偏らないようにバランス良く載置できるようにしたことを特徴とした立食パーティー用トレイ。
【考案の詳細な説明】
【技術分野】
【０００１】
本考案は、立食パーティー用片手トレイに関するものである。さらに詳しくは、ビュッフェ形式の立食パーティーに於いて、片手でトレイを持ちながら不自由なくグラスまたはフォーク・スプーンを使用できるようにして、トレイ中の料理を食べながら、グラスをテーブルの上へ置かなくてもウイスキー、ワイン、ビールなどの飲物を飲めるようにした、立食パーティーには頗る便利で重宝な立食パーティー用片手トレイに関するものである。
【背景技術】
【０００２】
政、官、財その他一般民間団体に於いて、各種記念式典のあとに祝賀立食パーティーが催されることは、現今非常に増加している趨勢にある。
【０００３】
しかして、ビュッフェ形式の立食パーティーの場合、ウイスキー、ワイン、ビールなどの飲物を飲む際には、皿の中の料理はテーブル上へ置いてから、片手でグラスのみを持ちながら飲むことがマナーとされている。また、反対に、テーブル上の料理を召し上がるときには飲物のグラスをテーブルへ置いてから、皿を手にて持ちながら料理を召し上がるのが、上品で優雅に振る舞う立食パーティー本来のマナーとされている。
【０００４】
しかしながら、昨今の立食パーティーを眺めていると、会場に招待される人が非常に多く、必然的に会場内が大混雑するため、スマートな会話をこなしながら、然かも立食パーティーのマナーを守って飲んだり、食べたりすることは非常に難しい現状にある。
【０００５】
そこで、立食形式のパーティー等で片手で不自由なくグラス、食器、箸類を同時に保持できる形式の食器、所謂立食用グラス保持機能受皿が知られている（特開２００３‐５２５１６）。
【０００６】
即ち、特開２０３−５２５１６公報の立食用グラス保持機能付受皿は、皿部と指差し穴を有する保持部からなる料理受皿の保持部に寸胴でない任意のグラスを差し込んで片手で保持できるグラス保持穴を設けた立食用グラス保持機能付受皿で、グラス保持穴が保持部周縁から切り欠き形状となっていることを特徴とし、かつこのグラス保持穴の内側周縁部の先端が、斜め上方に持ち上がっていることを特徴とする立食用グラス保持機能付受皿によるものである。
【０００７】
ところが、この従来の発明の受皿は、片手で受皿とグラスを同時に持つことができるという利点はあるものの、受皿の縁の一部に親指が通るほどに開けた指さし穴へ親指を指して、受皿を持つように構成されていた。したがって、受皿を親指にてしっかり安定性良く確実に保持しながら立食することはできた。
【０００８】
しかしながら、受皿の指さし穴へ親指を抜き指しするのには非常に煩瑣な手数を要し、迅速且容易に行うことは甚だ困難なものであった。且又受皿上へバランス良くグラスや料理を載せることができないゆえ、頗る安定性に欠けるものである。
【０００９】
そこで、片手で立食パーティー用の料理受皿を持ち易く、然かも離し易くし、且又安定性良く容器を片手にて保持できるようにした立食用容器の出現が要望されるが、その一例として従来実開昭６１‐８３５１２号の立食用容器が存在する。
【００１０】
即ち、実開昭６１‐８３５１２号の考案は、中央部に片手で把持できる直径のコップ状把持体を配し、該把持体の頂部から適宜寸法下って周囲に適宜幅の環状受皿を一体に合成樹脂で形成し、該環状受皿と前記把持体頂端との間には適宜幅の補強兼仕切り縁が形成してあることを特徴とする立食用容器がある。
【００１１】
ところが、この公知の立食用容器は片手にて持ち易く、しかもテーブルなどへ置き易い利点はあるが、食物を収容する受皿が環状に構成されているので、その環状受皿へ食物が入れ難いのと、環状受皿から食物をフォークや箸にて取り難い課題が存在している。
【特許文献１】特開２００３‐５２５１６号公報
【特許文献２】実開昭６１‐８３５１２号公報
【考案の開示】
【考案が解決しようとする課題】
【００１２】
ビュッフェ形式の立食パーティー用容器は種々研究開発されて、上記特許・実用新案文献のようなものが従来から知られている。しかしながら、そのいずれも容器を片手にて把持しながら、飲食するのには安定性が頗る悪く、且又食べ難いとか、持ちにくいなどの喫緊の課題を抱えている。本考案は、このような従来の課題を解決するのに成功した立食パーティー用トレイを提供するにある。
【課題を解決するための手段】
【００１３】
本考案は、上記課題を解決するために成されたものであって、以下本考案による解決手段を詳細に説明する。
《解決手段１》
トレイの一端部に下方途中に段部を設けた円錐台形状のグラス収容部を向け、該グラス収容部の段部の下部には小空室を形成し、トレイの他端部の下方へ把持体部を設け、さらにトレイ後端部にはフォーク・スプーン・箸を収容する掴み具収容部を同じく設け、グラス収容部、把持体部、掴み具収容部の各底部が同一平面上に位置するように形成し、かつ上記３部が夫々略均等間隔にあって、略三角形状になるように形成し、さらにトレイ平面中央部には料理収容室を設けたことを特徴とした立食パーティー用トレイ。
《解決手段２》
トレイの一端部にグラス収容部を設け、他端部には内面が湾曲形状を呈する爪形形成を成す親指差し込み窪部であるトレイ把持部を設け、さらにトレイの中央部に料理収容部を設け、その手前にフォーク・スプーン・箸を収容する掴み具収容部を設けてトレイ上の飲食物の重量が偏らないようにバランス良く載置できるようにしたことを特徴とした立食パーティー用トレイ。
《解決手段３》
トレイの一端部に内面が湾曲形状を成す親指差し込み窪部であるトレイ把持部を設け、該窪部近傍にグラス収容部を設け、他端部にフォーク・スプーン・箸を収容する掴み具収容部を設け、中央部には料理収容部を設けてトレイ上の飲食物の重量が偏らないようにバランス良く載置できるようにしたことを特徴とした立食パーティー用トレイ。
【考案の効果】
【００１４】
本考案の解決手段１の考案は、トレイの底部に略三角形を成す間隔にグラス収容部、把持体部、フォーク・スプーンなど掴み具収容部をバランス良く設けたので、トレイを左手（片手）にて把持したとき、トレイ上の載置物中その掴み具の重量が一方に偏らずバランス良く載置しているので、トレイの安定性が頗る良好である。
【００１５】
本考案の解決手段１〜３の考案は、グラス収容部、把持体部、掴み具収容部の底部が夫々同一平面上に位置するように設けたので、トレイをテーブル上へ置いたとき、テーブルに安定的に載置され、トレイが妄りに揺れることがない。
【００１６】
本考案の解決手段２，３の考案は、グラス収容部の２／３程の位置に段部を設けたので、グラスの底が段部上にあり、それ以上下方、所謂小空室へは行かないので、グラスの出し入れが円滑に行える。また、万が一グラス中の飲物がこぼれても、飲物は段部の下の小空室に溜まるので、グラスの底が溜まった飲物に浸漬されてしまうことがなく、清潔である。
【００１７】
本考案の解決手段２，３の考案は、トレイの端部に爪形形状を成す窪部の内側に湾曲面部を設けたので、親指が窪部の湾曲面部に添接してトレイの底面部に接触する人差指と相俟って強固にトレイを把持できる。したがって、トレイを片手で把持していても頗る安全、確実に保持できる。
【００１８】
本考案の解決手段３の考案は、トレイの端部に設けた親指を差し込む窪部の近傍にグラス収容部を設けたので、グラス及びグラス中の飲物の重量が直接トレイを握っている親指と人差指にかかるゆえ、非常に安全堅牢にトレイを保持していることができる。
また、グラスがトレイを把持している人の手前にあるゆえ、グラスが傾いたり、グラスの中の飲物が漏れたりする虞がない。
【考案を実施するための最良の形態】
【００１９】
以下、本考案の立食パーティー用片手トレイの実施例を別紙図面に基いて詳細に説明する。
【実施例１】
【００２０】
《実施例１の構成》
図１（ａ）（ｂ）（ｃ）は、右利き人用の本考案の立食パーティー用トレイの実施例１を示すものであって、１はプラスチック製のトレイであって、トレイ１の一側部に下方に向かってグラスを収容する円錐台形状のグラス収容部２が一体に設けられてある。そしてこのグラス収容部２は上方から２／３程度の位置の底部に段部３が設けてあって、その下方にはさらに狭くなった小空室４が形成されている。したがって、グラスをグラス収容部２中へ収容したとき、グラスの底部は段部３上に載置され、それ以上下方へは入り込まないようになっている。つまり、グラスの底部は段部３上に載置され、小空室４へは入っていかない。したがって、グラスをグラス収容部へ出し入れが頗る容易である。
【００２１】
図１（ａ）に於いて、５はトレイ１の他側部の手前に下方に向かって一体に円錐状に設けられた把持体部であって、該把持体部５の内部は空洞に形成されている。６はトレイ１の他側部の後方の位置に一体に設けられ、フォーク・スプーン・箸を収容するための掴み具収容部であって、該掴み具収容部６、把持体部５、グラス収容部２の底部は夫々同一平面上に位置するように形成されている。
そして、さらにグラス収容部２、把持体部５、掴み具収容部６の間隔、所謂距離は夫々略等間隔に設けられていて、略三角形に均しいようにバランス良く配設されている。つまり、トレイ１を安定性良く支持しているものである。
【００２２】
図１（ａ）に於いて、７はトレイ１の中央部に窪ませて設けた料理収容部であって、区画壁８によって小室９、１０、１１が夫々設けられている。また、１２は香辛料収容室、１３は調味料収容室である。
【００２３】
《実施例１の作用》
そこで、図１（ｂ）に示すように、立食パーティーの際、予め掴み具収容部６へフォーク・スプーンなど掴み具１４が収容されているトレイ１の把持体部５を左手にて把持する。そして、ビール、ワインなどの飲物を収容するグラス１５をグラス収容部２中へ収容する。ついで、好みの肉、魚、サラダ、果物などを料理収容部７の小室９、１０、１１中へ収容する。
【００２４】
然るのち、テーブルの位置にて他の招待客と会話しながら、グラス１５をグラス収容部２中より出しながら、グラス１５を傾ける。飲物を飲み終えたら、グラス１５をグラス収容部２中へ収めたのち、図２ｂに示すように料理収容部７の小室９、１０、１１中の料理を掴み具１４にて掴みながら食べる。そして、飲物を飲み終えたり、料理を食べ終えたならば、図２ａに示すように、トレイ１をテーブル１６上へ載せておくのである。
なお、図１（ａ）（ｂ）（ｃ）図２（ａ）（ｂ）に示すトレイは右利きの人が使用する場合を説明したものであって、左利きの人が本考案のトレイを使用する場合には、図１（ａ）（ｂ）（ｃ）図２（ａ）（ｂ）に示すトレイとは対称になるものであることは勿論である。
【実施例２】
【００２５】
《実施例２の構成》
実施例２は右利き人用のパーティー用トレイを示すものであって、図３（ａ）（ｂ）（ｃ）に於いて、１はトレイであって、このトレイ１の一側部の端部にグラス１５を収容する円形のグラス収容窪部１７が設けてある。また、トレイ１の他側部の端部にトレイ１を把持するための平面から眺めて爪形状に湾曲１９させて窪ませたトレイ把持部１８が設けてある。
【００２６】
２０はトレイ１の手前部に横方向に窪ませてなるフォーク・スプーンなどを収容する掴み具収容部である。また、７は料理収容部であって、区画壁８によって小室９、１０、１１が設けてある。１２は香辛料収容室、１３は調味料収容室である。
【００２７】
《実施例２の作用》
そこで、立食パーティーの際、予めグラス収容部１７へ飲物を収容するグラス１５を収容し、また、掴み具収容部２０中へ掴み具１４を収容し、かつまた料理を料理収容室７の小室９、１０、１１へ収容したトレイ１を左手の親指の裏面を湾曲１９へ添接させながら、トレイ把持部１８中へ差し込む。このとき、図３（ｂ）に示すようにトレイ把持部１８中の親指とトレイ１の裏面へ添接させた左手の人差指にてトレイ１をしっかり把持するものである。
【００２８】
このようにして、トレイ１を左手にて持ちながら右手にてグラス１５をグラス収容窪部１７より持ち上げ、グラス１５中の飲物を飲むものである。また、飲物を飲み終えたならば、掴み具収容部２０中の掴み具１４を取り出して、掴み具１４にて料理収容室１３中の料理を食べるのである。
【実施例３】
【００２９】
《実施例３の構成》
実施例３も右利き人用のパーティー用トレイを示すものであって、図４（ａ）（ｂ）に於いて、１はトレイであって、このトレイ１の一側部の端部にグラス１５を収容する円形のグラス収容窪部１７が設けてある。また、グラス収容窪部１７の近傍にトレイ１を把持するための平面から眺めて爪形状に湾曲１９させて窪ませたトレイ把持部１８が設けてある。
【００３０】
２０はトレイ１の右端部に縦方向に窪ませてなるフォーク・スプーンなどを収容する掴み具収容部である。また、７は料理収容部であって、区画壁８によって小室９、１０、１１が設けてある。１２は香辛料収容室、１３は調味料収容室である。
【００３１】
《実施例３の作用》
そこで、立食パーティーの際、予めグラス収容部１７へ飲物を収容するグラス１５を収容し、また、掴み具収容部２０中へ掴み具１４を収容し、かつまた料理を料理収容室７の小室９、１０、１１へ収容したトレイ１を左手の親指の裏面を湾曲１９へ添接させながら、トレイ把持部１８中へ差し込む。このとき、図４（ａ）に示すようにトレイ把持部１８中の親指とトレイ１の裏面へ添接させた左手の人差指にてトレイ１をしっかり把持するものである。
【００３２】
このようにして、トレイ１を左手にて持ちながら右手にてグラス１５をグラス収容窪部１７より持ち上げ、グラス１５中の飲物を飲むものである。また、飲物を飲み終えたならば、掴み具収容部２０中の掴み具１４を取り出して、掴み具１４にて料理収容室１３中の料理を食べるのである
【産業上の利用可能性】
【００３３】
本考案の立食パーティー用トレイは、記念式典の後に催される祝賀大立食パーティーのように招待客が多く混雑するパーティーに利用する場合に頗る有益であって、ビュッフェ形式の大立食パーティーの盛況に寄与、貢献するところ誠に大である。
【図面の簡単な説明】
【００３４】
【図１】（ａ）本考案の実施例１の立食パーティー用片手トレイ（右利き人用）の平面図である。（ｂ）図１（ａ）のＡ−Ａ線縦断面図である。（ｃ）図１（ａ）のＢ−Ｂ線縦断面図である。
【図２】（ａ）本考案の実施例１の立食パーティー用片手トレイ（右利き人用）をテーブルへ載置した状態を示す側面図である。（ｂ）本考案の実施例１の立食パーティー用片手トレイを左手にて持ちながら料理を食べる状態を示す参考説明図である。
【図３】（ａ）本考案の実施例２の立食パーティー用トレイ（右利き人用）の平面図である。（ｂ）図３（ａ）のＡ−Ａ線縦断面図である。（ｃ）図３（ａ）のＢ−Ｂ線縦断面図である。
【図４】（ａ）本考案の実施例３の立食パーティー用トレイ（右利き人用）の平面図である。    （ｂ）本考案の実施例３の立食パーティー用トレイ（右利き人用）の外観斜視図である。
【符号の説明】
【００３５】
１      トレイ
２      グラス収容部
３      段部
４      小空室
５      把持体部
６      掴み具収容部
７      料理収容部
８      区画壁
９      小室
１０    小室
１１    小室
１２    香辛料収容室
１３    調味料収容室
１４    掴み具
１５    グラス
１６    テーブル
１７    グラス収容窪部
１８    トレイ把持部
１９    湾曲
２０    掴み具収容部
【図１】
0003110464.tif 000003
【図２】
0003110464.tif 000004
【図３】
0003110464.tif 000005
【図４】
0003110464.tif 000006